【手続補正書】
【提出日】平成28年4月5日(2016.4.5)
【手続補正１】
【補正対象書類名】明細書
【補正対象項目名】００４２
【補正方法】変更
【補正の内容】
【００４２】
図３Ａ及び３Ｂは主に、領域（５）の反射レリーフの幾何学的形状の特に好ましい２つの実施形態を説明するために示されている。これら２つの図は、プリズムの底面に実質的に垂直である面（４ｂ）と、傾斜面（４ａ）とをそれぞれ有する複数の個別プリズムからなるフレネルプリズムを表している。好ましくは光源の方を向くとともに、ガラスの面にほぼ垂直な方向に光を反射させるのは、これらの傾斜面（４ａ）である。
本発明の実施態様の一部を以下の項目［１］−［１５］に記載する。
[１]
第１の主面（１１）と第２の主面（１２）と縁（１３）とを有する、屈折率ｎ1の第１のガラス板（１）と、
前記第１の板（１）の前記第２の主面（１２）と接着剤で接触している透明ポリマーフィルム（３）であって、ｎ1未満の屈折率ｎ2を有する透明ポリマーフィルム（３）と、
前記第１のガラス板の前記縁（１３）に面して配置されている光源（８）、好ましくは発光ダイオードモジュール（ＬＥＤモジュール）と、
を備える照明ガラスであって、
前記第１のガラス板の前記第２の主面（１２）の領域（５）が、反射レリーフを備えるか、又は、ｎ1以上の屈折率ｎ3の平らな透明構造体（６）であって、反射レリーフを備える平らな透明構造体（６）で覆われていることを特徴とする照明ガラス。
[２]
第１の主面（２１）と第２の主面（２２）と縁（２３）とを有する第２のガラス板（２）も備え、前記透明ポリマーフィルム（３）が、前記第１のガラス板（１）の前記第２の主面（１２）と接着剤で接触し、並びに前記第２の板（２）の前記第１の主面（２１）と接着剤で接触していることを特徴とする、項目１に記載のガラス。
[３]
前記反射レリーフの高さが５μｍ〜１ｍｍ、好ましくは１０μｍ〜５００μｍ、特には２０〜１００μｍであることを特徴とする、項目１又は２に記載のガラス。
[４]
前記平らな透明構造体（６）が、プラスチック材料、好ましくはポリ（エチレンテレフタレート）、ポリカーボネート、ポリ（メチルメタクリレート）、ポリスチレンのフィルムであるか、又は、ゾルゲル法によって得られる、シリカ系無機コーティング若しくは有機−無機コーティングであることを特徴とする、項目１〜３のいずれか一項に記載のガラス。
[５]
前記レリーフの反射性が、前記レリーフ上に堆積した金属層の存在に起因することを特徴とする、項目１〜４のいずれか一項に記載のガラス。
[６]
前記透明ポリマーフィルム（３）の前記屈折率ｎ2が、前記第１のガラス板（１）の前記屈折率ｎ1又は前記平らな構造体（６）の前記屈折率ｎ3よりも、少なくとも０．０２、好ましくは少なくとも０．１小さいことに、前記レリーフの前記反射性が起因することを特徴とする、項目１〜４のいずれか一項に記載のガラス。
[７]
前記第１のガラス板（１）の前記屈折率ｎ1又は前記平らな構造体（６）の前記屈折率ｎ3よりも、少なくとも０．０２、好ましくは少なくとも０．１小さい屈折率ｎ4という低屈折率のコーティングが前記レリーフ上に存在することに、前記レリーフの前記反射性が起因することを特徴とする、項目１〜４のいずれか一項に記載のガラス。
[８]
前記反射レリーフが、平らな面又は曲面からなる幾何学的パターンを備え、前記レリーフが好ましくは、繰り返しの幾何学的パターンを有する規則正しいレリーフであることを特徴とする、項目１〜７のいずれか一項に記載のガラス。
[９]
前記反射レリーフが、フレネルレンズ型又はフレネルプリズム型のレリーフであることを特徴とする、項目１〜８のいずれか一項に記載のガラス。
[１０]
前記反射レリーフがフレネルプリズム型のレリーフであり、前記レリーフの個々のプリズムが、前記第１のガラス板の前記被照射縁（１３）に実質的に平行であることを特徴とする、項目９に記載のガラス。
[１１]
前記反射レリーフがフレネルプリズム型のレリーフであり、前記レリーフの個々のプリズムがアーチ型を有していることを特徴とする、項目９に記載のガラス。
[１２]
前記プリズムの反射傾斜面が前記光源の方を向いていることを特徴とする、項目１０又は１１に記載のガラス。
[１３]
前記平らな透明構造体（６）が、反射レリーフを備える面の反対側の面の全体で、前記第１の板の前記第２の主面（１２）と接しており、その接触界面が、ｎ1未満の屈折率ｎ5を有する材料を実質的に含まず、特に空気を含まない（ｎair＝１）ことを特徴とする、項目１〜１２のいずれか一項に記載のガラス。
[１４]
項目１〜１３のいずれか一項に記載の照明ガラスを備える車両、好ましくは原動機付き車両。
[１５]
前記照明ガラスが、前記車両のルーフの一部を形成することを特徴とする、項目１４に記載の車両。
【手続補正２】
【補正対象書類名】特許請求の範囲
【補正対象項目名】全文
【補正方法】変更
【補正の内容】
【特許請求の範囲】
【請求項１】
第１の主面（１１）と第２の主面（１２）と縁（１３）とを有する、屈折率ｎ1の第１のガラス板（１）と、
前記第１の板（１）の前記第２の主面（１２）と接着剤で接触している透明ポリマーフィルム（３）であって、ｎ1未満の屈折率ｎ2を有する透明ポリマーフィルム（３）と、
前記第１のガラス板の前記縁（１３）に面して配置されている光源（８）と、
を備える照明ガラスであって、
前記第１のガラス板の前記第２の主面（１２）の領域（５）が、正反射レリーフを備えるか、又は、ｎ1以上の屈折率ｎ3の平らな透明構造体（６）であって、正反射レリーフを備える平らな透明構造体（６）で覆われていることを特徴とする照明ガラス。
【請求項２】
第１の主面（２１）と第２の主面（２２）と縁（２３）とを有する第２のガラス板（２）も備え、前記透明ポリマーフィルム（３）が、前記第１のガラス板（１）の前記第２の主面（１２）と接着剤で接触し、並びに前記第２の板（２）の前記第１の主面（２１）と接着剤で接触していることを特徴とする、請求項１に記載のガラス。
【請求項３】
前記正反射レリーフの高さが５μｍ〜１ｍｍであることを特徴とする、請求項１又は２に記載のガラス。
【請求項４】
前記平らな透明構造体（６）が、ポリ（エチレンテレフタレート）、ポリカーボネート、ポリ（メチルメタクリレート）、及びポリスチレンから選択されるプラスチック材料のフィルムであるか、又は、ゾルゲル法によって得られる、シリカ系無機コーティング若しくは有機−無機コーティングであることを特徴とする、請求項１〜３のいずれか一項に記載のガラス。
【請求項５】
前記正反射レリーフの反射性が、前記正反射レリーフ上に堆積した金属層の存在に起因することを特徴とする、請求項１〜４のいずれか一項に記載のガラス。
【請求項６】
前記透明ポリマーフィルム（３）の前記屈折率ｎ2が、前記第１のガラス板（１）の前記屈折率ｎ1又は前記平らな構造体（６）の前記屈折率ｎ3よりも、少なくとも０．１小さいことに、前記正反射レリーフの前記反射性が起因することを特徴とする、請求項１〜４のいずれか一項に記載のガラス。
【請求項７】
前記第１のガラス板（１）の前記屈折率ｎ1又は前記平らな構造体（６）の前記屈折率ｎ3よりも、少なくとも０．１小さい屈折率ｎ4という低屈折率のコーティングが前記正反射レリーフ上に存在することに、前記正反射レリーフの前記反射性が起因することを特徴とする、請求項１〜４のいずれか一項に記載のガラス。
【請求項８】
前記正反射レリーフが、平らな面又は曲面からなる幾何学的パターンを備えることを特徴とする、請求項１〜７のいずれか一項に記載のガラス。
【請求項９】
前記正反射レリーフが、フレネルレンズ型又はフレネルプリズム型のレリーフであることを特徴とする、請求項１〜８のいずれか一項に記載のガラス。
【請求項１０】
前記正反射レリーフがフレネルプリズム型のレリーフであり、前記レリーフの個々のプリズムが、前記第１のガラス板の前記被照射縁（１３）に実質的に平行であることを特徴とする、請求項９に記載のガラス。
【請求項１１】
前記正反射レリーフがフレネルプリズム型のレリーフであり、前記レリーフの個々のプリズムがアーチ型を有していることを特徴とする、請求項９に記載のガラス。
【請求項１２】
前記プリズムの反射傾斜面が前記光源の方を向いていることを特徴とする、請求項１０又は１１に記載のガラス。
【請求項１３】
前記平らな透明構造体（６）が、前記正反射レリーフを備える面の反対側の面の全体で、前記第１の板の前記第２の主面（１２）と接しており、その接触界面が、ｎ1未満の屈折率ｎ5を有する材料を実質的に含まないことを特徴とする、請求項１〜１２のいずれか一項に記載のガラス。
【請求項１４】
請求項１〜１３のいずれか一項に記載の照明ガラスを備える車両。
【請求項１５】
前記照明ガラスが、前記車両のルーフの一部を形成することを特徴とする、請求項１４に記載の車両。